(57)【要約】【課題】電池パックを被覆する保護部材に、該保護部材を破らない旨の注意書きを表す印字や模様等を施すことにより、一般ユーザが保護部材を破ってしまうことを防止する電気機器を得る。【解決手段】電気機器の一例である火災警報器に搭載される電池パック７は、一つのリチウム電池から構成される筒型の電池本体７ａ、その電池本体７ａの長手方向の両端に配置された２つの電極７ｂ、電池本体７ａと電極７ｂとを被覆する透明フィルムからなる保護部材７ｃ、２つの電極７ｂに溶着された２本の出力リード線７ｄ及びその２本の出力リード線の他端が接続されたコネクタ７ｅとから構成されている。【選択図】図２
2010097806.tif 000002
【特許請求の範囲】
【請求項１】
電気機器本体と、
該電気機器本体に設けられた電池収納部に装着される電池パックと、
を備え、
前記電池パックは、
電池本体と、
該電池本体を被覆する保護部材と、
を有し、
前記保護部材は、該保護部材を破らない旨の注意書きを表す印字、図形又は模様が施されている
ことを特徴とする電気機器。
【請求項２】
前記注意書きを表す印字、図形又は模様は、前記保護部材の略全面に亘って施されている
ことを特徴とする請求項１記載の電気機器。
【請求項３】
前記電池パックは、二本の出力リード線を備え、
該二本の出力リード線は、
それぞれの一端が前記電池本体の電極に接続されており、
互いにより合わされている
ことを特徴とする請求項１又は請求項２記載の電気機器。  
【発明の詳細な説明】
【技術分野】
【０００１】
本発明は、電機機器に関し、特に保護部材に被覆された電池パックに関するものである。
【背景技術】
【０００２】
従来の電気機器の一例である警報器において、電源部としてリチウムバッテリーパックを搭載した火災警報器がある（例えば、特許文献１参照）。このようなバッテリーパックは、リチウム電池本体の電極に接続された出力リード線の部分を絶縁する目的で、通常、リチウム電池本体はフィルム状の保護部材で被覆されている。
【０００３】
【特許文献１】特開２００４−３６２５３７号公報（第１０頁、図４）
【発明の開示】
【発明が解決しようとする課題】
【０００４】
しかしながら、一般ユーザが、市販の複数本組のアルカリ電池の保護フィルム等と勘違いして、リチウム電池本体を被覆した保護部材を破ってしまうということがあり、感電等の可能性もあるという問題があった。           
【０００５】
本発明は、上記のような問題点を解決するためになされたもので、一般ユーザが保護部材を破ってしまうことを防止することを目的とする。
【課題を解決するための手段】
【０００６】
本発明に係る電気機器は、電気機器本体と、該電気機器本体に設けられた電池収納部に装着される電池パックと、を備え、前記電池パックは、電池本体と、該電池本体を被覆する保護部材と、を有し、前記保護部材は、該保護部材を破らない旨の注意書きを表す印字、図形又は模様が施されていることを特徴とする。
【０００７】
また、前記注意書きを表す印字、図形又は模様は、前記保護部材の略全面に亘って施されていることを特徴とする。
【０００８】
また、前記電池パックは、二本の出力リード線を備え、該二本の出力リード線は、それぞれの一端が前記電池本体の電極に接続されており、互いにより合わされていることを特徴とする。
【発明の効果】
【０００９】
本発明に係る電気機器においては、電池パックを被覆する保護部材に、該保護部材を破らない旨の注意書きを表す印字や模様等が施されることによって、一般ユーザが、市販の複数本組のアルカリ電池等の保護フィルムと勘違いして、電池パックを被覆する保護部材を破ってしまうことを防止することができる。
【００１０】
また、その保護部材の注意書きを表す印字、図形又は模様は、保護部材の略全面に亘って施されているので、一般ユーザは、その注意書きを表す印字や模様を見落とすことがない。
【００１１】
そして、電池パックが備える二本の出力リード線同士が互いにより合わされて、より線となっていることによって、より合わされていない場合と比較して、不要な箇所に引っ掛かりにくくなる。また、仮に引っ掛かったとしても、より合わされることによって生じる伸縮性によって、切れにくくなり、電池パックの電極の溶着部分にかかる負荷を軽減することができる。
【発明を実施するための最良の形態】
【００１２】
図１は、本発明の実施の形態に係る警報器の分解斜視図である。
ここで、本発明の実施の形態における電気機器は、警報器であり、またその警報器は火災警報器であるものとする。本発明の実施の形態に係る火災警報器は、警報器本体１（電気機器本体の一例）と、天井面や壁面等に固定されて警報器本体１が着脱可能に装着される取付ベース２１とから構成されており、警報器本体１は、本体部２と、その本体部２に複数のねじ１０（後述の図３参照）によって一体に結合された保護カバー１１と、その保護カバー１１に設置された回路基板１５とから構成されている。
【００１３】
本体部２は、円板状の基板３とその背面側（取付ベース２１側）の外周縁に立設された周壁４とからなり、周壁４には対向して一対の刃部５が設けられている。この刃部５は、周壁４の先端部から内側に向かって延設された平板状の係合片５ａと、この係合片５ａの一方の側縁と基板３とを一体に連結した補強リブ５ｂとから構成されている。また、基板３には、刃部５のアンダーカット部を形成するための穴６が設けられ、そして、電池パック７が、その一部を基板３に埋没する状態で設置されている。また、基板３に形成されているスピーカ受け部８は、保護カバー１１に搭載されたスピーカ１７の受け部である。そして、本体部２と保護カバー１１とを一体に結合させるねじ１０を挿通するためのねじ挿通穴９が、基板３に設けられている。さらに、後述する電池用コネクタ受け部１５ａ及び移報用コネクタ受け部１５ｂをそれぞれ挿通させるための電池用コネクタ開口部３１及び移報用コネクタ開口部３２が、基板３に設けられている。
【００１４】
保護カバー１１は、煙や熱等を検出する略山形状の火災検出部１２（検出部の一例）と、その外周縁に設けた周壁１３とから構成されている。また、保護カバー１１には、本体部２と保護カバー１１を結合するため、本体部２のねじ挿通穴９に通したねじ１０を螺入するためのねじ穴１４が、設けられている。そして、回路基板１５に接続されるスピーカ１７と、そのスピーカ１７が発する警報音を停止させる等の操作を行うボタンスイッチ１８が設けられている。なお、図１においては、保護カバー１１とボタンスイッチ１８とが分解された状態を示す。
【００１５】
回路基板１５には、回路に電力を供給する電池パック７のコネクタ７ｅ（後述の図２参照）が接続される電池用コネクタ受け部１５ａ、移報用の機器を接続するための移報用コネクタ受け部１５ｂ、火災検出部１２の構成要素の一例として熱を検出するサーミスタ（図示せず）及びその他電子部品が搭載されている。
【００１６】
取付ベース２１は、円板状の基板２２、その基板２２の外周縁の本体部２側に設けられた周壁２３、及びその周壁２３と同心円状に設けられた内壁（図示せず）とを有し、その内壁の上縁部の本体部２に設けられた刃部５に対応する位置には、周壁２３側に延設された刃受け部２５が設けられている。また、基板２２には、取付ベース２１を天井面等にねじ固定するために、ねじ挿通穴２６が設けられている。
【００１７】
図２は、本発明の実施の形態に係る警報器に搭載される電池パック７の外観図である。
本発明の実施の形態に係る火災警報器に搭載される電池パック７は、一つのリチウム電池から構成される筒型の電池本体７ａ、その電池本体７ａの長手方向の両端に配置された２つの電極７ｂ、電池本体７ａと電極７ｂとを被覆する透明フィルムからなる保護部材７ｃ、２つの電極７ｂに溶着（例えば、半田付け）された２本の出力リード線７ｄ及びその２本の出力リード線の他端が接続されたコネクタ７ｅとから構成されている。
【００１８】
２本の出力リード線７ｄのそれぞれの一端が溶着されている２つの電極７ｂは、保護部材７ｃによって被覆されていることによって、外部と絶縁されている。また、保護部材７ｃは、その保護部材７ｃを破ってはならない旨の注意書きを示す印字が施されている。この印字は、保護部材７ｃの略全面に亘って施されており、筒型の電池本体７ａの側面の位置にその長手方向に二列になるように施されている。なお、保護部材７ｃは、電池本体７ａの円筒状の側面における上下側面と、２つの電極７ｂとに亘って被覆する形態であるが、これに限定するものではなく、電池本体７ａの円筒状の側面全体を被服する形態としてもよい。
【００１９】
図３は、電池パック７が本体部２に収納された状態を示す本体部２の上面図である。
本体部２と保護カバー１１とを一体に結合させるために、本体部２の基板３に設けられたねじ挿通穴９にねじ１０が挿通されている。また、基板３には、電池パック７を収納させるために陥没形成された電池収納部３３が設けられている。そして、その電池収納部３３の長手方向の片側の中央部に、基板３から上方（取付ベース２１側）に延出する形で設けられた略Ｌ字状の係止部材３４は、電池パック７の表面を係止することによって、電池パック７を電池収納部３３内に装着固定する。また、電池パック７の出力リード線７ｄの他端が接続されているコネクタ７ｅは、電池用コネクタ受け部１５ａに接続されている。
【００２０】
次に、上記のように構成された火災警報器の天井面等への取り付け作業の手順の一例について説明する。
まず、梱包から、警報器本体１、取付ベース２１及び電池パック７等を取り出す。そして、電池収納部３３に電池パック７を収納し、本体部２の電池用コネクタ開口部３１に収納された電池用コネクタ受け部１５ａに、電池パック７のコネクタ７ｅを接続する。このとき、一般ユーザは、電池パック７の保護部材７ｃに印字された注意書きによって、保護部材７を破ってしまうことなく、電池収納部３３に電池パック７を収納することができる。次に、ねじ挿通穴２６を介して天井面等にねじ固定された取付ベース２１に、本体部２の刃部５を刃受け部２５から周方向にずらせた状態で嵌合し、ついで、警報器本体１を周方向に回動して刃部５の係合片５ａを刃受け部２５に係止させて装着する。なお、警報器本体１を取付ベース２１から取り外すときは、警報器本体１を反対方向に回動して刃部５の係合片５ａを刃受け部２５から離脱させればよい。
【００２１】
以上の構成のように、電池パック７の保護部材７ｃに、破ってはならない旨の注意書きを示す印字が施されていることによって、一般ユーザが、市販の複数本組のアルカリ電池等の保護フィルムと勘違いして、保護部材７ｃを破ってしまうことを防止することができる。
また、この印字が、保護部材７ｃの略全面に亘って施されており、筒型の電池本体７ａの側面の位置にその長手方向に二列になるように施されているので、電池収納部３３の長手方向の中央部に設けられた係止部材３４によって遮蔽される部分を避けることができる。それによって、電池パック７が電池収納部３３に収納された状態でも、一般ユーザは、保護部材７ｃに施された印字を見落とすことがなく良好に確認することができる。このような構成は、例えば、電池収納部３３に電池パック７を収納した状態で梱包して出荷する場合に好適である。
そして、電池本体７ａの２つの電極７ｂにそれぞれ溶着された２本の出力リード線が互いにより合わされて、より線となっていることによって、より線でない場合と比べて、不要な箇所に引っ掛かりにくくなる。また、仮に引っ掛かったとしても、より合わされることによって生じる伸縮性によって、切れにくくなり、電池パック７の電極７ｂの溶着部分にかかる負荷を軽減することができる。
【００２２】
なお、上記の説明では、図示の火災警報器に本発明を実施した場合を示したが、これに限定するものではなく、他の構造の火災警報器にも本発明を適用することができる。さらに、検出部として、火災検出部１２に限定するものでもなく、ガス検出センサを用いたガス漏れ警報器等、他の検出手段を用いた警報器にも本発明を適用することができる。また、さらに、火災警報器等の警報器に限定するものではなく、その他の電気機器にも本発明を適用することができる。
また、電池パック７を被覆する保護部材７ｃとして、透明フィルムで構成される絶縁部材が使用されているが、これに限定するものではなく、色のついたカラーフィルム等で構成される絶縁部材が使用されるものとしてもよい。
また、電池パック７の電池本体７ａとして、筒型の一つのリチウム電池から構成される場合を示したが、これに限定するものではなく、複数本組となったリチウム電池で構成されてるものとしてもよい。あるいは、リチウム電池ではなく、ニッケル水素電池又はリチウムイオン電池等の他の種類の電池が、一つ又は複数本組として構成されるものとしてもよい。さらに、電池本体７ａの形状についても、筒型に限定するものではなく、角型等の形状を有するものとしてもよい。
また、電池パック７の保護部材７ｃに施されている印字は、保護部材７ｃの略全面に亘って施されており、電池収納部３３の長手方向の中央部に設けられた係止部材３４によって遮蔽される部分を避けるために、筒型の電池本体７ａの側面の位置にその長手方向に二列になるように施されている場合を示したが、これに限定するものではなく、電池収納部３３の係止部材３４の位置等その他の条件によって、一般ユーザがその印字を見落とさない範囲で、長手方向に三列以上に印字、又は、その他のレイアウトで印字するものとしてもよい。
さらに、電池パック７の保護部材７ｃに施されている注意書きの例として、図２において、破ってはいけない旨の注意書きを示す文字が印字されている例を示したが、これに限定するものではなく、注意を促すための図形又は模様が施されるものとしてもよい。
【図面の簡単な説明】
【００２３】
【図１】本発明の実施の形態に係る警報器の分解斜視図である。
【図２】本発明の実施の形態に係る警報器に搭載される電池パック７の外観図である。
【図３】電池パック７が本体部２に収納された状態を示す本体部２の上面図である。
【符号の説明】
【００２４】
１  警報器本体、２  本体部、３  基板、４  周壁、５  刃部、５ａ  係合片、５ｂ  補強リブ、６  穴、７  電池パック、７ａ  電池本体、７ｂ  電極、７ｃ  保護部材、７ｄ  出力リード線、７ｅ  コネクタ、８  スピーカ受け部、９  ねじ挿通穴、１０  ねじ、１１  保護カバー、１２  火災検出部、１３  周壁、１４  ねじ穴、１５  回路基板、１５ａ  電池用コネクタ受け部、１５ｂ  移報用コネクタ受け部、１７  スピーカ、１８  ボタンスイッチ、２１  取付ベース、２２  基板、２３  周壁、２５  刃受け部、２６  ねじ挿通穴、３１  電池用コネクタ開口部、３２  移報用コネクタ開口部、３３  電池収納部、３４  係止部材。
【図１】
2010097806.tif 000003
【図２】
2010097806.tif 000004
【図３】
2010097806.tif 000005